(57)【要約】【課題】本発明は、天井や壁に設置する平板スピーカを使用した際の他の部屋への振動や音漏れを低減することを目的とする。【解決手段】このため、開口部を有する皿状のフレーム２と、フレーム２の開口部に設けられた平板状の振動板と、フレーム２内に設けられるとともに、振動板に結合され、振動板を振動させる駆動部と、振動板の音声出力方向とは逆側に設けられた制振装置３とを備え、制振装置３は、制振対象となる振動に対し相殺振動を発生する構成とした。このように、相殺振動を発生し、制振装置３が設けられた部材の振動を打ち消すことによって、その部材が振動源や音源となり、天井裏等の空間へ音を出力することを低減することができる。この結果、上階や隣接する部屋への振動や音漏れを低減することができる。【選択図】図１
2010206562.tif 000002
【特許請求の範囲】
【請求項１】
開口部を有する皿状のフレームと、
前記フレームの開口部に設けられた平板状の振動板と、
前記フレーム内に設けられるとともに、前記振動板に結合され、前記振動板を振動させる駆動部と、
前記振動板の音声出力方向とは逆側に設けられた制振装置とを備え、
前記制振装置は、制振対象となる振動に対し相殺振動を発生する平板スピーカ。
【請求項２】
前記制振装置は、
制振対象となる振動を検出する振動検出部と、
前記振動検出手段から振動情報が入力され、この振動情報を基に制振信号を生成する制御部と、
前記制御部から前記制振信号が入力される振動発生部とを備え、
前記振動発生部は、入力された前記制振信号を基に、前記制振対象となる振動に対して逆位相である振動を前記相殺振動として発生する請求項１に記載の平板スピーカ。
【請求項３】
前記振動検出手段は、前記フレームに設けられている請求項２に記載の平板スピーカ。
【請求項４】
前記振動発生部は、前記フレームに設けられている請求項２に記載の平板スピーカ。
【発明の詳細な説明】
【技術分野】
【０００１】
本発明は、住宅やオフィスビル等の居住空間の壁や天井に設置して使用される平板スピーカに関するものである。
【背景技術】
【０００２】
近年、住宅やオフィスビル等の居住空間において、天井や壁のパネルをスピーカの振動板として用い、居住空間内の人物がスピーカの存在を感じずに音楽等を聴取可能となる天井や壁と一体型のスピーカの技術が提案されている。
【０００３】
しかしながら、この種のスピーカは、振動板と結合されたフレームに振動板の振動が固体伝播することでフレーム自身が振動して音を発生してしまい、この結果、フレームから発生した音が天井裏や壁裏といった空間へ放射され、上階や隣室といった、本来意図していない部屋へ音が漏れ出すという課題があった。
【０００４】
特に、マンションやオフィスビル等の省スペース化された建築物では近隣の部屋同士の天井と床、あるいは壁と壁との距離が極めて近く、上記の課題が特に問題視されていた。
【０００５】
この課題の解決方法としては、特許文献１のような方法が周知となっている。
【０００６】
特許文献１に記載の技術は、図４に示すように振動板としての面材１０１を振動用アクチュエータ１０２にて振動させることにより、天井から居住空間（特許文献１では浴室）に音楽等の音情報を出力するものである。そして、特許文献１に記載の技術では、隣接する部屋等へ音が漏れ出ることを防ぐために、面材１０１を覆うように遮音材１０３を配設している。
【０００７】
すなわち、スポンジ等の吸音材や防振ゴムと硬質板材とを交互に積層した制振部材などを用いて、面材から室外側（天井裏側）に発せられる音を遮音することにより、他の部屋へ音が漏れ出ることを防ごうというものであった。
【特許文献１】特開２００６−１３３６３９号公報
【発明の開示】
【発明が解決しようとする課題】
【０００８】
確かに、特許文献１に記載の技術によると、音や振動が他の部屋に漏れるのをある程度防止することは可能であった。
【０００９】
しかしながら、特許文献１のような吸音材や制振部材などの遮音材１０３を用いた方法は十分な量の吸音材や制振部材を用いないと効果が薄かった。
【００１０】
したがって、省スペース化された建築物の天井裏等に設けられたスピーカに対して特許文献１に記載の方法を用いようとしても、他の部屋への音漏れを防ぐための十分な量の吸音材や制振部材を設置するスペースを確保することは難しく、効果的に音漏れを防ぐことができないのが現状であった。
【００１１】
そこで、本発明はこのような課題を鑑みてされたものであり、平面スピーカの音声出力に伴う振動の影響を抑制し、他の部屋への音漏れを低減することを目的とするものである。
【課題を解決するための手段】
【００１２】
そして、この目的を達成するために本発明の平板スピーカは、開口部を有する皿状のフレームと、前記フレームの開口部に設けられた平板状の振動板と、前記フレーム内に設けられるとともに、前記振動板に結合され、前記振動板を振動させる駆動部と、前記振動板の音声出力方向とは逆側に設けられた制振装置とを備え、前記制振装置は制振対象となる振動に対し相殺振動を発生する構成とした。
【発明の効果】
【００１３】
上記構成により本発明の平板スピーカは、他の部屋への音漏れを低減することができる。
【００１４】
これは、本発明の平板スピーカが、制振装置を有していることによる。
【００１５】
すなわち、本発明の平板スピーカにおいては、制振装置が他の部屋への音漏れの原因となる振動に対して逆位相の振動を出力し、この音漏れの原因となる振動を相殺する構成となっている。
【００１６】
この結果、平面スピーカの音声出力に伴う振動の影響を抑制し、他の部屋への振動を含めた音漏れを低減することができる。
【発明を実施するための最良の形態】
【００１７】
（実施の形態１）
以下、実施の形態１の平板スピーカ１の構成について、図面を用いて説明する。
【００１８】
図１は、天井や壁等に設置することを目的とした本実施の形態の平板スピーカ１の背面図であり、図２は平板スピーカ１の正面図である。また、図３は図２の破線Ａ−Ａに沿う断面図である。
【００１９】
図１の背面図に示すように、本実施の形態における平板スピーカ１の背面には、鉄製のフレーム２が取り付けられている。ここで背面とは、平板スピーカ１に音声出力方向と逆側の面を指す。このフレーム２は後に詳述する平板スピーカ１の各構成部材を支持する部材である。本実施の形態においてフレーム２は図１に示すように上面視において略正方形の形状とした。なお、フレーム２の略中央は突起２ａが設けられており、この突起２ａの内側において後に図３にて示す駆動部１０等の各部材が収納されている。
【００２０】
なお、フレーム２の材質としては、鉄以外にもアルミ等の軽金属、樹脂、木等を用いても良い。その場合、スピーカ全体の重量が軽くなるという効果が得られる。
【００２１】
フレーム２上には、本発明のポイントである制振装置３が設置されている。この制振装置３は、振動検出部４、制御部５、および振動発生部６とを備えている。制御部５は、振動検出部４および振動発生部６とそれぞれコード７、コード８にて接続されている。
【００２２】
振動検出部４は、平板スピーカ１のフレーム２に２箇所設けられている。なお、本実施の形態では振動検出部４を２箇所設けたが、これに限らず１箇所のみであってもよいし、３箇所以上設けても良い。本実施の形態において、振動検出部４は圧電素子を用いた加速度センサにて構成されており、設置箇所で生じている振動を検出する。すなわち、本実施の形態の振動検出部４は、フレーム２の加速度の変化を基に、制振対象となるフレーム２の振動の周波数を検出している。なお、振動検出部４は加速度センサ以外にも角速度センサ、角加速度センサ、速度センサ、角変位センサ等、振動を検出可能なものであれば何でも良い。この振動検出部４が検出したフレーム２の振動情報はコード７を介し、信号として制御部５に入力される。
【００２３】
制御部５は、一般的なコンピュータにて構成される。制御部５は、入力された振動情報を基に、制振対象であるフレーム２で生じている振動を低減するための制振信号を生成する。そして、この制御部５にて生成された制振信号は必要に応じてアンプ（図示せず）にて増幅され、コード８を介して振動発生部６へ入力される。
【００２４】
なお、制御部５は、帯域フィルタを用いて特定の周波数成分の振動を抽出し、この抽出された周波数成分に対して制振信号を生成する構成としてもよい。一般的に、高域の周波数帯の振動は減衰が大きく、空間を伝わりにくく、また固体伝播もしにくい。したがって、高域の周波数帯の振動に対しては低減させる必要はさほどなく、中域以下（５００Ｈｚ以下）の周波数帯の振動を制振対象の振動として絞り、これらの振動を低減させる構成とすると効率よく効果を奏し得る。このような理由から、制御部５は、帯域フィルタを用いて特定の周波数成分の振動を抽出する構成としてもよい。
【００２５】
振動発生部６は、フレーム２を加振することで制御対象となる振動を低減する装置である。すなわち、制御部５から制振信号が入力されると、振動発生部６は制御信号に基づいてフレーム２の振動と逆位相の振動を発生する。そして、この逆位相の振動を相殺振動として作用させることで、フレーム２の振動を低減する。
【００２６】
この振動発生部６は、フレーム２に２箇所設けられており、振動検出部４と近接して配置されている。なお、本実施の形態では振動発生部６を２箇所設けたが、これに限らず１箇所のみであってもよいし、３箇所以上設けても良い。特に、本実施の形態においては振動発生部６の設置箇所を、フレーム２の突起２ａとフレーム２の外周端の略中央としている。本実施の形態のフレーム２は、突起２ａのフレーム２の外周端の略中央は平面状となっており、この部分の強度は曲げ加工の施された周囲部分よりも弱く振動しやすいため、上階や隣室への漏れ出す振動や音の発生源となりやすい。したがって、このように平面状となった部分の振動を制振すると効率的に本発明の効果を奏することができるため、上記のような配置としている。
【００２７】
なお、振動発生部６は、内部に電磁石にて形成された重り（図示せず）と永久磁石（図示せず）とを備えており、この重りが励磁されて永久磁石と反応することでフレーム２に対して垂直な方向に振動し、振動を発生する仕組みとなっている。このように、本実施の形態の振動発生部６にはいわゆるムービング・コイル型のアクチュエータを用いたが、これに限らず超磁歪型や電歪型のアクチュエータ等、入力される制振信号に基づいて振動を発生可能なものであれば何でも良い。
【００２８】
次に、平板スピーカ１の正面図を図２に示す。
【００２９】
天井板や壁板を兼ねた薄い木でできた振動板９は、略平板状で、その形状は本実施の形態の場合、一辺が６０ｃｍの四角形としている。このように、本実施の形態の平板スピーカ１を正面、すなわち平板スピーカ１の使用者の居住空間内側から見た場合、その形状は単なる天井板あるいは壁板としてしか見えず、使用者はスピーカとしての存在を感じずに音楽等を楽しむことができる。
【００３０】
なお、振動板９として他の素材を用いてもよい。例えば、軽量硬質素材の樹脂板、発泡樹脂板、金属板等でも振動板９を形成することは可能である。その場合、振動板の材料毎に違った音質を楽しむことができる。
【００３１】
また、本実施の形態１では、振動板９の形状は四角形状であるが、円形や多角形等の他の形状であっても良い。その場合、スピーカのデザインの自由度が増すという効果を奏する。
【００３２】
次に、平板スピーカ１の断面図を図３に示し、平板スピーカ１を構成する各部材について説明する。
【００３３】
まず、前述したフレーム２は、図３および図１からわかるように皿状の形状を有している。フレーム２の開口部には前述の振動板９が取り付けられており、フレーム２の開口部は振動板９に合わせて四角形状となっている。なお、フレーム２の開口部は四角形状に限られることはなく、例えば振動板９の形状を四角形状以外の円形や多角形等の他の形状とした場合、フレーム２の開口部の形状もそれぞれの形状に合わせて変更してもよい。また、フレーム２と振動板９にて囲まれた空間は密閉状態となっている。
【００３４】
振動発生部６は、図３からもわかるように、フレーム２上に設けられている。また、図３には図示していないが、振動発生部６と同様に振動検出部４もフレーム２上に設けられている。すなわち、これら振動発生部６および振動検出部４は振動板９の音声出力方向とは逆側に設けられているものである。
【００３５】
駆動部１０は、フレーム２と振動板９にて囲まれた空間内に設置されるとともに、フレーム２と振動板９のそれぞれと結合されている。この駆動部１０は、フレーム２内底面と振動板９間の中央部に載置された磁気回路１１と、ボイスコイル１２が巻回されたボイスコイルボビン１３とから構成されている。
【００３６】
磁気回路１１は、フレーム２の底部中央にヨーク１１ａが固定され、その上にマグネット１１ｂと上部プレート１１ｃを設けて構成されている。なお、このヨーク１１ａと上部プレート１１ｃの間には磁気ギャップ１４が形成されている。
【００３７】
ボイスコイル１２は、磁気回路１１の磁気ギャップ１４内に配挿されており、ボイスコイル１２を巻回するボイスコイルボビン１３は、振動板９に振動を伝達する振動伝達部としてのカプラー１５を介して振動板９と連結されている。
【００３８】
ダンパー１６は波打ったドーナツ状の形状を有しており、その内周側はボイスコイルボビン１３と連結され、外周側はフレーム２内底面において突起２ａの周縁と連結されて、ボイスコイルボビン１３を支持している。
【００３９】
以下、本実施の形態における平板スピーカ１の動作について説明する。なお、以下において平板スピーカ１は天井に設置されたものとして説明を行うが、平板スピーカ１の設置箇所は天井に限られるものではない。
【００４０】
まず、外部から音声信号を付加した交流電流を流すと、駆動部１０がこれに従って駆動し、ボイスコイルボビン１３に連結された振動板９が上下振動を開始する。この結果、振動板９外部の空気が振動し、音が居住空間に向かって出力される。
【００４１】
一方、上述したように振動板９とフレーム２との間の空間は密閉状態となっているため、振動板９の上下振動に伴い、この密閉空間の空気圧が変動し始める。この空気圧の変化により、フレーム２も振動をしてしまう。あるいは、振動板９の振動が固体伝播によりフレーム２に伝わり、やはりフレーム２が振動してしまう。
【００４２】
このようにフレーム２が振動すると、この振動がフレーム２と接している天井裏の空間の空気を振動させ、この空気の振動が音となって振動とともに上階、もしくは隣室へと伝わる。
【００４３】
すなわち、フレーム２は振動源や音源としての役割を果たし、天井裏の空間に音が出力され、この結果、上階の部屋に振動や音が漏れてしまうのである。
【００４４】
そこで、本実施の形態の平板スピーカ１では、フレーム２に制振装置３を設けた構成としている。
【００４５】
フレーム２が振動すると、この振動を振動検出部４が制振対象の振動として検出し、特性を振動情報として制御部５に出力する。
【００４６】
制御部５は、振動検出部４から振動情報が入力されると、この振動情報を基に、フレーム２の振動を低減させるための制振信号を振動発生部６に出力する。すなわち、制御部５はフレーム２の振動に対して逆位相の振動を発生するように振動発生部６を制御する。
【００４７】
そして、制振信号が制御部５から入力された振動発生部６は、この制振信号に基づいて、フレーム２の振動に対して逆位相の振動を相殺振動として発生する。この相殺振動がフレーム２に加えられると、平板スピーカ１が音を出力したことに伴うフレーム２の振動と相殺振動とが打ち消しあい、結果としてフレーム２の振動が低減されることになる。
【００４８】
なお、振動発生部６から発生される相殺振動は、フレーム２の振動に対して逆位相であるとともに振幅が同等のものであることが望ましい。相殺振動の振幅がフレーム２の振動の振幅と近いほど、フレーム２の振動を適切に相殺できるからである。
【００４９】
以下、本実施の形態における平板スピーカ１の効果について説明する。
【００５０】
まず、本実施の形態の平板スピーカ１では、他の部屋への振動や音漏れを低減することができる。
【００５１】
すなわち、上述したように、平板スピーカ１から居住空間に向けて音を出力したことに伴ってフレーム２が振動したとしても、この振動を打ち消す相殺振動が制振装置３から出力されるため、天井裏等の空間にフレーム２を振動源や音源とする振動や音が出力されることを低減することができる。
【００５２】
このように本実施の形態の平板スピーカ１では、音声出力に伴う振動の影響を抑制し、他の部屋への音漏れを低減することができる。
【００５３】
したがって、本実施の形態における平板スピーカ１では他の部屋への振動や音漏れを低減することができるため、この平板スピーカ１を設置した居住空間の住人は上階や隣接する部屋の住人に迷惑をかける心配をすることなく音楽等を楽しむことが可能となる。
【００５４】
そして、本実施の形態における制振装置３は、振動検出部４、制御部５、および振動発生部６にて実現される。
【００５５】
振動発生部６から、フレーム２の振動に対して逆位相となる振動を出力することにより、フレーム２の振動を効果的に低減することができる。このことから、平板スピーカ１の使用者は、従来のスピーカに比べて居住空間に出力する音の制限を緩和することができ、より多様な音楽を大きな音量で楽しむことができる。
【００５６】
また、振動検出手段４はフレーム２に設けられることが望ましい。
【００５７】
振動することで天井裏等の空間に音を出力してしまう部材は、振動板９とフレーム２を接続する部材（図示せず）や平板スピーカ１と隣接した天井パネルのように他にも存在するが、その主たる振動源や音源となり得るのはフレーム２だからである。
【００５８】
したがって、フレーム２の振動を振動検出手段４にて検出し、この振動を低減させることが、他の部屋への振動や音漏れを防ぐという目的のためには最も効果的である。
【００５９】
同様の理由により、振動発生部６はフレーム２に設けられることが望ましい。
【００６０】
つまり、フレーム２の振動を振動発生部６からの相殺信号により低減させることが、他の部屋への振動や音漏れを防ぐという目的のためには最も効果的であり、このため何よりもフレーム２に振動発生部６を設けることが望ましい。
【００６１】
なお、図１に示したように本実施の形態において制御部５は、振動発生部６と別体の構成としたが、これに限ることなく制御部５を振動発生部６と一体のユニットとした構成としてもよい。
【００６２】
また、本実施の形態の平板スピーカ１においては、駆動部１０はフレーム２と振動板９の中心部にそれぞれ結合されたものとしたが、これに限られることなく、中心部とずらして結合されてもよい。その場合、振動板９上で発生する分割共振を分散することができ、ピーク・ディップが抑制された周波数特性を得ることが可能となる。
【００６３】
また、駆動部１０は動電型加振器、磁歪型加振器、電歪型加振器のいずれかを用いて構成されてもよい。
【産業上の利用可能性】
【００６４】
本発明にかかる平板スピーカは制振装置により、平板スピーカの音声出力に伴う振動を低減することが可能である。この結果、平板スピーカの振動や音漏れを低減することができ、上階や隣接する部屋の住人への迷惑を心配することなく使用者は音楽等を楽しむことができる。なお、本発明にかかる平板スピーカは、住宅、マンション、オフィスなどの部屋の天井板、壁板等を兼ねた音響機器として有用である。
【図面の簡単な説明】
【００６５】
【図１】実施の形態１における平板スピーカの背面図
【図２】実施の形態１における平板スピーカの正面図
【図３】実施の形態１における平板スピーカの（図２、破線Ａ−Ａにおける）断面図
【図４】従来の天井設置型スピーカの断面図
【符号の説明】
【００６６】
１  平板スピーカ
２  フレーム
２ａ  突起
３  制振装置
４  振動検出部
５  制御部
６  振動発生部
７  コード
８  コード
９  振動板
１０  駆動部
１１  磁気回路
１１ａ  ヨーク
１１ｂ  マグネット
１１ｃ  上部プレート
１２  ボイスコイル
１３  ボイスコイルボビン
１４  磁気ギャップ
１５  カプラー
１６  ダンパー
【図１】
2010206562.tif 000003
【図２】
2010206562.tif 000004
【図３】
2010206562.tif 000005
【図４】
2010206562.tif 000006